(57)【特許請求の範囲】
【請求項１】
配信情報を有する情報ソースから、前記配信情報を受信する第１集線装置と、
前記情報ソースから、前記配信情報を受信する第２集線装置と、
前記配信情報へのアクセスを要求する旨のアクセス情報を、前記第１集線装置及び前記第２集線装置に送信するアクセス装置と、を備え、
前記第１集線装置は、自己の非障害時に、前記アクセス情報に対応する前記配信情報を、前記アクセス装置に配信し、
前記第２集線装置は、前記第１集線装置の障害時に、前記アクセス情報に対応する前記配信情報を、前記アクセス装置に配信することを特徴とする集線システム。
【請求項２】
前記第１集線装置は、前記アクセス情報の送信を前記アクセス装置に要求し、
前記アクセス装置は、前記第１集線装置からの要求に応じて、前記アクセス情報を前記第１集線装置及び前記第２集線装置に送信することを特徴とする請求項１に記載の集線システム。
【請求項３】
前記第２集線装置は、前記第１集線装置の障害を認知したときに、前記アクセス情報に対応する前記配信情報を、前記アクセス装置に配信することを特徴とする請求項１又は請求項２に記載の集線システム。
【請求項４】
第１配信情報及び第２配信情報を有する情報ソースから、前記第１配信情報及び前記第２配信情報を受信する配信情報受信部と、
前記第１配信情報へのアクセスを要求する旨の第１アクセス情報を送信する第１アクセス装置から、前記第１アクセス情報を受信し、前記第２配信情報へのアクセスを要求する旨の第２アクセス情報を送信する第２アクセス装置から、前記第２アクセス情報を受信するアクセス情報受信部と、
前記第２アクセス情報に対応する前記第２配信情報を前記第２アクセス装置に配信する他の集線装置の非障害時に、前記第１アクセス情報に対応する前記第１配信情報を前記第１アクセス装置に配信し、前記他の集線装置の障害時に、前記第１アクセス情報に対応する前記第１配信情報を前記第１アクセス装置に配信するとともに、前記第２アクセス情報に対応する前記第２配信情報を前記第２アクセス装置に配信する配信情報配信部と、
を備えることを特徴とする集線装置。
【請求項５】
前記第１アクセス情報の送信を前記第１アクセス装置に要求するアクセス情報要求部、
をさらに備え、
前記他の集線装置は、前記第２アクセス情報の送信を前記第２アクセス装置に要求することを特徴とする請求項４に記載の集線装置。
【請求項６】
前記他の集線装置の障害を認知する障害情報認知部、
をさらに備え、
前記配信情報配信部は、前記障害情報認知部が前記他の集線装置の障害を認知したときに、前記第１アクセス情報に対応する前記第１配信情報を前記第１アクセス装置に配信するとともに、前記第２アクセス情報に対応する前記第２配信情報を前記第２アクセス装置に配信することを特徴とする請求項４又は請求項５に記載の集線装置。
【請求項７】
第１集線装置が、配信情報を有する情報ソースから、前記配信情報を受信し、
第２集線装置が、前記情報ソースから、前記配信情報を受信し、
アクセス装置が、前記配信情報へのアクセスを要求する旨のアクセス情報を、前記第１集線装置及び前記第２集線装置に送信し、
前記第１集線装置が、自己の非障害時に、前記アクセス情報に対応する前記配信情報を、前記アクセス装置に配信し、
前記第２集線装置が、前記第１集線装置の障害時に、前記アクセス情報に対応する前記配信情報を、前記アクセス装置に配信することを特徴とする配信方法。
【請求項８】
前記第１集線装置が、前記アクセス情報の送信を前記アクセス装置に要求し、
前記アクセス装置が、前記第１集線装置からの要求に応じて、前記アクセス情報を前記第１集線装置及び前記第２集線装置に送信することを特徴とする請求項７に記載の配信方法。
【請求項９】
前記第２集線装置が、前記第１集線装置の障害を認知したときに、前記アクセス情報に対応する前記配信情報を、前記アクセス装置に配信することを特徴とする請求項７又は請求項８に記載の配信方法。
【発明の詳細な説明】
【技術分野】
【０００１】
本発明は、アクセス装置が複数の集線装置に冗長的に帰属する集線システム、集線装置及び配信方法において、一の集線装置が障害を発生させたときであっても、他の集線装置がアクセス装置に配信情報を早急に配信することができる技術に関する。
【背景技術】
【０００２】
近年、ＦＴＴＨ（Ｆｉｂｅｒ  Ｔｏ  Ｔｈｅ  Ｈｏｍｅ）サービスが本格的に普及するに伴って、ＩＰＴＶ（Ｉｎｔｅｒｎｅｔ  Ｐｒｏｔｏｃｏｌ  Ｔｅｌｅｖｉｓｉｏｎ）サービスが需要を増大させている。また、ＦＴＴＨを始めとする通信サービスは、社会インフラとしての側面を備えており、高い信頼性を求められている。
【０００３】
ＩＰＴＶの映像を始めとする情報が配信されるときには、複数のアクセス装置が同一の情報を要求することが多い。よって、情報ソースが複数のアクセス装置にユニキャストで配信するときには、情報ソースと複数のアクセス装置の間で利用帯域が増大する。しかし、情報ソースが集線装置にユニキャストで配信し、集線装置が複数のアクセス装置にマルチキャストで配信するときには、情報ソースと集線装置の間で利用帯域が減少する。非特許文献１では、情報ソースが集線装置にユニキャストで配信し、集線装置が複数のアクセス装置にマルチキャストで配信する方法が記載されている。
【０００４】
非特許文献２では、集線装置が複数のアクセス装置にマルチキャストで配信する具体的な方法が記載されている。まず、集線装置は複数のアクセス装置にマルチキャスト問合メッセージを送信し、複数のアクセス装置は集線装置にマルチキャスト報告メッセージを送信し、集線装置は受信を希望するアクセス装置が存在するかどうかを確認する。次に、集線装置は複数のアクセス装置にブロードキャストと同様に配信し、受信を希望するアクセス装置は情報を取得し、受信を希望しないアクセス装置は情報を破棄する。よって、集線装置と受信を希望しないアクセス装置の間で帯域利用が非効率的になる。
【０００５】
集線装置と受信を希望しないアクセス装置の間で帯域利用が効率的になるために、非特許文献３では、スヌーピング手段が利用され、非特許文献４では、プロキシ手段が利用される。非特許文献３のスヌーピング手段では、集線装置が情報ソースからマルチキャストパケットを受信したときに、集線装置は受信を希望するアクセス装置にのみマルチキャストパケットを配信する。非特許文献４のプロキシ手段では、集線装置が受信を希望するアクセス装置を確認したときに、集線装置は情報ソースにマルチキャストパケットを要求し受信を希望するアクセス装置にのみマルチキャストパケットを配信する。よって、集線装置と受信を希望しないアクセス装置の間で帯域利用が効率的になる。
【０００６】
図１は、非特許文献１−４を融合した、従来技術における集線システムを示す図である。上流側から下流側へと向かうにつれて、情報ソース２、集線装置１、アクセス装置３−１、・・・、３−Ｎが配置されている。情報ソース２は、集線装置１に全チャネルを含むマルチキャストストリームを配信し、集線装置１は、アクセス装置３−１、・・・、３−Ｎに要求チャネルを含むマルチキャストストリームを配信する。
【０００７】
集線装置１は、集線部１１、フィルタ部１２−１、・・・、１２−Ｎ、マルチキャスト問合メッセージ発出部１３、マルチキャスト報告メッセージ取得部１４、配信テーブル作成部１５から構成されている。集線部１１は、情報ソース２から全チャネルを含むマルチキャストストリームを受信し、アクセス装置３−１、・・・、３−Ｎに要求チャネルを含むマルチキャストストリームを配信する。さらに、集線部１１は、アクセス装置３−１、・・・、３−Ｎにマルチキャスト問合メッセージを送信し、アクセス装置３−１、・・・、３−Ｎからマルチキャスト報告メッセージを受信する。
【０００８】
フィルタ部１２−１、・・・、１２−Ｎは、全チャネルを含むマルチキャストストリームのうち、要求チャネルを含むマルチキャストストリームを通過させる。マルチキャスト問合メッセージ発出部１３は、集線部１１にマルチキャスト問合メッセージを発出する。マルチキャスト報告メッセージ取得部１４は、スヌーピング手段またはプロキシ手段により集線部１１を通過するトラフィックを監視し、集線部１１からマルチキャスト報告メッセージを取得する。配信テーブル作成部１５は、マルチキャスト報告メッセージに基づいて、配信テーブルを作成する。集線部１１は、配信テーブルに基づいて、アクセス装置３−１、・・・、３−Ｎに要求チャネルを含むマルチキャストストリームを配信する。配信テーブル作成部１５が作成する配信テーブルは、集線装置１がアクセス装置３−１、・・・、３−Ｎに、全チャネルを含むマルチキャストストリームのうち、いずれのチャネルを含むマルチキャストストリームを配信するべきかを示す。
【先行技術文献】
【非特許文献】
【０００９】
【非特許文献１】ＲＦＣ  １１１２“Ｈｏｓｔ  ｅｘｔｅｎｓｉｏｎｓ  ｆｏｒ  ＩＰ  ｍｕｌｔｉｃａｓｔｉｎｇ”、［ｏｎｌｉｎｅ］、［平成２２年３月３１日検索］、インターネット＜ＵＲＬ：ｈｔｔｐ：／／ｗｗｗ．ｉｅｔｆ．ｏｒｇ／ｒｆｃ／ｒｆｃ１１１２．ｔｘｔ＞
【非特許文献２】ＲＦＣ  ２７１０“Ｍｕｌｔｉｃａｓｔ  Ｌｉｓｔｅｎｅｒ  Ｄｉｓｃｏｖｅｒｙ  （ＭＬＤ）  ｆｏｒ  ＩＰｖ６”、［ｏｎｌｉｎｅ］、［平成２２年３月３１日検索］、インターネット＜ＵＲＬ：ｈｔｔｐ：／／ｗｗｗ．ｉｅｔｆ．ｏｒｇ／ｒｆｃ／ｒｆｃ２７１０．ｔｘｔ＞
【非特許文献３】ＲＦＣ  ４５４１“Ｃｏｎｓｉｄｅｒａｔｉｏｎｓ  ｆｏｒ  Ｉｎｔｅｒｎｅｔ  Ｇｒｏｕｐ  Ｍａｎａｇｅｍｅｎｔ  Ｐｒｏｔｏｃｏｌ  （ＩＧＭＰ）  ａｎｄ  Ｍｕｌｔｉｃａｓｔ  Ｌｉｓｔｅｎｅｒ  Ｄｉｓｃｏｖｅｒｙ  （ＭＬＤ）  Ｓｎｏｏｐｉｎｇ  Ｓｗｉｔｃｈｅｓ”、［ｏｎｌｉｎｅ］、［平成２２年３月３１日検索］、インターネット＜ＵＲＬ：ｈｔｔｐ：／／ｗｗｗ．ｉｅｔｆ．ｏｒｇ／ｒｆｃ／ｒｆｃ４５４１．ｔｘｔ＞
【非特許文献４】ＲＦＣ  ４６０５“Ｉｎｔｅｒｎｅｔ  Ｇｒｏｕｐ  Ｍａｎａｇｅｍｅｎｔ  Ｐｒｏｔｏｃｏｌ  （ＩＧＭＰ）／Ｍｕｌｔｉｃａｓｔ  Ｌｉｓｔｅｎｅｒ  Ｄｉｓｃｏｖｅｒｙ  （ＭＬＤ）−Ｂａｓｅｄ  Ｍｕｌｔｉｃａｓｔ  Ｆｏｒｗａｒｄｉｎｇ  （“ＩＧＭＰ／ＭＬＤ  Ｐｒｏｘｙｉｎｇ”）”、［ｏｎｌｉｎｅ］、［平成２２年３月３１日検索］、インターネット＜ＵＲＬ：ｈｔｔｐ：／／ｗｗｗ．ｉｅｔｆ．ｏｒｇ／ｒｆｃ／ｒｆｃ４６０５．ｔｘｔ＞
【特許文献】
【００１０】
【特許文献１】特開２００９−２８４１７９号公報
【発明の概要】
【発明が解決しようとする課題】
【００１１】
ここで、図１に示した集線装置では、集線装置１に障害が発生したときには、アクセス装置３−１、・・・、３−Ｎに要求チャネルを含むマルチキャストストリームが配信されない。しかし、図２に示した集線装置では、複数の集線装置が冗長的に配置されているため、一の集線装置に障害が発生したときでも、一の配線装置から他の集線装置へと配信処理の切替を実行することにより、アクセス装置３−１、・・・、３−Ｎに要求チャネルを含むマルチキャストストリームが配信される。
【００１２】
図２は、複数の集線装置が冗長的に配置された、従来技術における集線システムを示す図である。上流側から下流側へと向かうにつれて、情報ソース２、集線装置１−１、１−２、アクセス装置３−１、・・・、３−Ｌ、３−Ｍ、・・・、３−Ｎが配置されている。情報ソース２は、集線装置１−１、１−２に全チャネルを含むマルチキャストストリームを配信し、集線装置１−１は、アクセス装置３−１、・・・、３−Ｌに要求チャネルを含むマルチキャストストリームを配信し、集線装置１−２は、アクセス装置３−Ｍ、・・・、３−Ｎに要求チャネルを含むマルチキャストストリームを配信する。
【００１３】
集線装置１−１は、集線部１１−１、フィルタ部１２−１１、・・・、１２−１Ｌ、１２−１Ｍ、・・・、１２−１Ｎ、マルチキャスト問合メッセージ発出部１３−１、マルチキャスト報告メッセージ取得部１４−１、配信テーブル作成部１５−１、障害情報認知部１６−１から構成されている。集線装置１−２は、集線部１１−２、フィルタ部１２−２１、・・・、１２−２Ｌ、１２−２Ｍ、・・・、１２−２Ｎ、マルチキャスト問合メッセージ発出部１３−２、マルチキャスト報告メッセージ取得部１４−２、配信テーブル作成部１５−２、障害情報認知部１６−２から構成されている。図２に示した集線システムが図１に示した集線システムと相違する部分について説明する。
【００１４】
以下では、集線装置１−１に障害が発生したときの処理について説明するが、集線装置１−１に障害が発生したときの処理と集線装置１−２に障害が発生したときの処理は同様である。障害情報認知部１６−２は、集線装置１−１に障害が発生したことを認知し、集線部１１−２に集線装置１−１の障害情報を通知する。集線部１１−２は、集線部１１−１に代わり、アクセス装置３−１、・・・、３−Ｌと通信を開始することができる。
【００１５】
しかし、配信テーブル作成部１５−２は、配信テーブル作成部１５−１が作成した配信テーブルを格納していない。よって、集線部１１−２は、配信テーブル作成部１５−１が作成した配信テーブルに基づいて、アクセス装置３−１、・・・、３−Ｌに要求チャネルを含むマルチキャストストリームを配信することができない。そして、集線部１１−２は、アクセス装置３−１、・・・、３−Ｌにマルチキャスト問合メッセージを送信してから、アクセス装置３−１、・・・、３−Ｌからマルチキャスト報告メッセージを受信するまでの間は、アクセス装置３−１、・・・、３−Ｌに要求チャネルを含むマルチキャストストリームを配信することができない。
【００１６】
そこで、前記課題を解決するために、本発明は、アクセス装置が複数の集線装置に冗長的に帰属する集線システム、集線装置及び配信方法において、一の集線装置が障害を発生させたときであっても、他の集線装置がアクセス装置に配信情報を早急に配信することができる技術を提供することを目的とする。
【課題を解決するための手段】
【００１７】
アクセス装置は、通常時には第１集線装置から配信情報を受信するが、第１集線装置の障害時には第２集線装置から配信情報を受信する。第１集線装置が障害を発生させたときであっても、第２集線装置がアクセス装置に配信情報を早急に配信することができるために、アクセス装置は、配信情報へのアクセスを要求する旨のアクセス情報を、第１集線装置及び第２集線装置に送信するようにした。
【００１８】
具体的には、本発明は、配信情報を有する情報ソースから、前記配信情報を受信する第１集線装置と、前記情報ソースから、前記配信情報を受信する第２集線装置と、前記配信情報へのアクセスを要求する旨のアクセス情報を、前記第１集線装置及び前記第２集線装置に送信するアクセス装置と、を備え、前記第１集線装置は、自己の非障害時に、前記アクセス情報に対応する前記配信情報を、前記アクセス装置に配信し、前記第２集線装置は、前記第１集線装置の障害時に、前記アクセス情報に対応する前記配信情報を、前記アクセス装置に配信することを特徴とする集線システムである。
【００１９】
この構成によれば、第１集線装置が障害を発生させたときであっても、第２集線装置は、第１集線装置の通常時に第１集線装置と通信するアクセス装置に、アクセス装置が要求する配信情報を早急に配信することができる。
【００２０】
また、本発明は、前記第１集線装置は、前記アクセス情報の送信を前記アクセス装置に要求し、前記アクセス装置は、前記第１集線装置からの要求に応じて、前記アクセス情報を前記第１集線装置及び前記第２集線装置に送信することを特徴とする集線システムである。
【００２１】
この構成によれば、アクセス装置がアクセス情報を第１集線装置及び第２集線装置に送信するために、第１集線装置がアクセス情報の送信をアクセス装置に要求すればよく、第２集線装置はアクセス情報の送信をアクセス装置に要求しなくてもよい。
【００２２】
また、本発明は、前記第２集線装置は、前記第１集線装置の障害を認知したときに、前記アクセス情報に対応する前記配信情報を、前記アクセス装置に配信することを特徴とする集線システムである。
【００２３】
この構成によれば、第２集線装置は、第１集線装置の障害を認知することができる。
【００２４】
また、本発明は、第１配信情報及び第２配信情報を有する情報ソースから、前記第１配信情報及び前記第２配信情報を受信する配信情報受信部と、前記第１配信情報へのアクセスを要求する旨の第１アクセス情報を送信する第１アクセス装置から、前記第１アクセス情報を受信し、前記第２配信情報へのアクセスを要求する旨の第２アクセス情報を送信する第２アクセス装置から、前記第２アクセス情報を受信するアクセス情報受信部と、前記第２アクセス情報に対応する前記第２配信情報を前記第２アクセス装置に配信する他の集線装置の非障害時に、前記第１アクセス情報に対応する前記第１配信情報を前記第１アクセス装置に配信し、前記他の集線装置の障害時に、前記第１アクセス情報に対応する前記第１配信情報を前記第１アクセス装置に配信するとともに、前記第２アクセス情報に対応する前記第２配信情報を前記第２アクセス装置に配信する配信情報配信部と、を備えることを特徴とする集線装置である。
【００２５】
この構成によれば、他の集線装置が障害を発生させたときであっても、集線装置は、他の集線装置の通常時に他の集線装置と通信する第２アクセス装置に、第２アクセス装置が要求する第２配信情報を早急に配信することができる。
【００２６】
また、本発明は、前記第１アクセス情報の送信を前記第１アクセス装置に要求するアクセス情報要求部、をさらに備え、前記他の集線装置は、前記第２アクセス情報の送信を前記第２アクセス装置に要求することを特徴とする集線装置である。
【００２７】
この構成によれば、集線装置が第１アクセス情報を第１アクセス装置から受信し第２アクセス情報を第２アクセス装置から受信するために、集線装置は第１アクセス情報の送信を第１アクセス装置に要求すればよく、集線装置は第２アクセス情報の送信を第２アクセス装置に要求しなくてもよく、他の集線装置が第２アクセス情報の送信を第２アクセス装置に要求すればよい。
【００２８】
また、本発明は、前記他の集線装置の障害を認知する障害情報認知部、をさらに備え、前記配信情報配信部は、前記障害情報認知部が前記他の集線装置の障害を認知したときに、前記第１アクセス情報に対応する前記第１配信情報を前記第１アクセス装置に配信するとともに、前記第２アクセス情報に対応する前記第２配信情報を前記第２アクセス装置に配信することを特徴とする集線装置である。
【００２９】
この構成によれば、集線装置は、他の集線装置の障害を認知することができる。
【００３０】
また、本発明は、第１集線装置が、配信情報を有する情報ソースから、前記配信情報を受信し、第２集線装置が、前記情報ソースから、前記配信情報を受信し、アクセス装置が、前記配信情報へのアクセスを要求する旨のアクセス情報を、前記第１集線装置及び前記第２集線装置に送信し、前記第１集線装置が、自己の非障害時に、前記アクセス情報に対応する前記配信情報を、前記アクセス装置に配信し、前記第２集線装置が、前記第１集線装置の障害時に、前記アクセス情報に対応する前記配信情報を、前記アクセス装置に配信することを特徴とする配信方法である。
【００３１】
この構成によれば、第１集線装置が障害を発生させたときであっても、第２集線装置は、第１集線装置の通常時に第１集線装置と通信するアクセス装置に、アクセス装置が要求する配信情報を早急に配信することができる。
【００３２】
また、本発明は、前記第１集線装置が、前記アクセス情報の送信を前記アクセス装置に要求し、前記アクセス装置が、前記第１集線装置からの要求に応じて、前記アクセス情報を前記第１集線装置及び前記第２集線装置に送信することを特徴とする配信方法である。
【００３３】
この構成によれば、アクセス装置がアクセス情報を第１集線装置及び第２集線装置に送信するために、第１集線装置がアクセス情報の送信をアクセス装置に要求すればよく、第２集線装置はアクセス情報の送信をアクセス装置に要求しなくてもよい。
【００３４】
また、本発明は、前記第２集線装置が、前記第１集線装置の障害を認知したときに、前記アクセス情報に対応する前記配信情報を、前記アクセス装置に配信することを特徴とする配信方法である。
【００３５】
この構成によれば、第２集線装置は、第１集線装置の障害を認知することができる。
【発明の効果】
【００３６】
本発明は、アクセス装置が複数の集線装置に冗長的に帰属する集線システム、集線装置及び配信方法において、一の集線装置が障害を発生させたときであっても、他の集線装置がアクセス装置に配信情報を早急に配信することができる技術を提供することができる。
【図面の簡単な説明】
【００３７】
【図１】従来技術における集線システムを示す図である。
【図２】従来技術における集線システムを示す図である。
【図３】実施形態１における集線システムを示す図である。
【図４】実施形態１における集線システムを示す図である。
【図５】実施形態２、３におけるＰＯＮの構成を示す図である。
【図６】実施形態２におけるＬ２ＳＷとＯＳＵの関係を示す図である。
【図７】実施形態３におけるＯＳＵとＯＮＵの関係を示す図である。
【図８】実施形態３における切替装置を示す図である。
【発明を実施するための形態】
【００３８】
添付の図面を参照して本発明の実施形態を説明する。以下に説明する実施形態は本発明の実施の例であり、本発明は以下の実施形態に制限されるものではない。なお、本明細書及び図面において符号が同じ構成要素は、相互に同一のものを示すものとする。
【００３９】
（実施形態１）
図３及び図４は、実施形態１における集線システムを示す図である。上流側から下流側へと向かうにつれて、情報ソース２、集線装置１−１、１−２、アクセス装置３−１、・・・、３−Ｌ、３−Ｍ、・・・、３−Ｎが配置されている。情報ソース２は、集線装置１−１、１−２に全チャネルを含むマルチキャストストリームを配信情報として配信する。集線装置１−１は、集線装置１−２の非障害時に、アクセス装置３−１、・・・、３−Ｌに要求チャネルを含むマルチキャストストリームを配信情報として配信し、集線装置１−２の障害時に、アクセス装置３−１、・・・、３−Ｌに要求チャネルを含むマルチキャストストリームを配信情報として配信するとともに、アクセス装置３−Ｍ、・・・、３−Ｎに要求チャネルを含むマルチキャストストリームを配信情報として配信する。集線装置１−２は、集線装置１−１の非障害時に、アクセス装置３−Ｍ、・・・、３−Ｎに要求チャネルを含むマルチキャストストリームを配信情報として配信し、集線装置１−１の障害時に、アクセス装置３−Ｍ、・・・、３−Ｎに要求チャネルを含むマルチキャストストリームを配信情報として配信するとともに、アクセス装置３−１、・・・、３−Ｌに要求チャネルを含むマルチキャストストリームを配信情報として配信する。
【００４０】
集線装置１−１は、集線部１１−１、フィルタ部１２−１１、・・・、１２−１Ｌ、１２−１Ｍ、・・・、１２−１Ｎ、マルチキャスト問合メッセージ発出部１３−１、マルチキャスト報告メッセージ取得部１４−１、配信テーブル作成部１５−１、障害情報認知部１６−１から構成されている。集線装置１−２は、集線部１１−２、フィルタ部１２−２１、・・・、１２−２Ｌ、１２−２Ｍ、・・・、１２−２Ｎ、マルチキャスト問合メッセージ発出部１３−２、マルチキャスト報告メッセージ取得部１４−２、配信テーブル作成部１５−２、障害情報認知部１６−２から構成されている。以下では、集線装置１−１の構成要素の処理内容について主に説明するが、集線装置１−１の構成要素の処理内容と集線装置１−２の構成要素の処理内容は同様である。
【００４１】
集線部１１−１は、配信情報受信部として、情報ソース２から全チャネルを含むマルチキャストストリームを受信し、配信情報配信部として、集線装置１−２の非障害時に、アクセス装置３−１、・・・、３−Ｌに要求チャネルを含むマルチキャストストリームを配信し、集線装置１−２の障害時に、アクセス装置３−１、・・・、３−Ｌに要求チャネルを含むマルチキャストストリームを配信するとともに、アクセス装置３−Ｍ、・・・、３−Ｎに要求チャネルを含むマルチキャストストリームを配信する。
【００４２】
集線部１１−１は、アクセス情報要求部として、アクセス装置３−１、・・・、３−Ｌにマルチキャスト問合メッセージを送信し、アクセス情報受信部として、アクセス装置３−１、・・・、３−Ｌからマルチキャスト報告メッセージをアクセス情報として受信する。集線部１１−２は、アクセス情報要求部として、アクセス装置３−Ｍ、・・・、３−Ｎにマルチキャスト問合メッセージを送信し、アクセス情報受信部として、アクセス装置３−Ｍ、・・・、３−Ｎからマルチキャスト報告メッセージをアクセス情報として受信する。ここで、アクセス装置３−１、・・・、３−Ｌは、集線部１１−１から受信したマルチキャスト問合メッセージに応じて、集線部１１−１のみならず集線部１１−２にもマルチキャスト報告メッセージを送信する。そして、アクセス装置３−Ｍ、・・・、３−Ｎは、集線部１１−２から受信したマルチキャスト問合メッセージに応じて、集線部１１−２のみならず集線部１１−１にもマルチキャスト報告メッセージを送信する。
【００４３】
フィルタ部１２−１１、・・・、１２−１Ｌ、１２−１Ｍ、・・・、１２−１Ｎは、全チャネルを含むマルチキャストストリームのうち、要求チャネルを含むマルチキャストストリームを通過させる。フィルタ部１２−１１、・・・、１２−１Ｌは、それぞれアクセス装置３−１、・・・、３−Ｌと通信する。フィルタ部１２−１Ｍ、・・・、１２−１Ｎは、集線装置１−２に障害が発生したときに、それぞれアクセス装置３−Ｍ、・・・、３−Ｎと通信するが、集線装置１−２に障害が発生していないときは、アクセス装置３−Ｍ、・・・、３−Ｎと通信することはなく、冗長的に配置されている。
【００４４】
マルチキャスト問合メッセージ発出部１３−１は、集線部１１−１にマルチキャスト問合メッセージを発出する。マルチキャスト報告メッセージ取得部１４−１は、スヌーピング手段またはプロキシ手段により集線部１１−１を通過するトラフィックを監視し、集線部１１−１からマルチキャスト報告メッセージを取得する。
【００４５】
配信テーブル作成部１５−１は、マルチキャスト報告メッセージに基づいて、配信テーブルを作成する。集線部１１−１は、配信テーブルに基づいて、集線装置１−２の非障害時に、アクセス装置３−１、・・・、３−Ｌに要求チャネルを含むマルチキャストストリームを配信し、集線装置１−２の障害時に、アクセス装置３−１、・・・、３−Ｌに要求チャネルを含むマルチキャストストリームを配信するとともに、アクセス装置３−Ｍ、・・・、３−Ｎに要求チャネルを含むマルチキャストストリームを配信する。配信テーブル作成部１５−１が作成する配信テーブルは、集線装置１−１がアクセス装置３−１、・・・、３−Ｌ、３−Ｍ、・・・、３−Ｎに、全チャネルを含むマルチキャストストリームのうち、いずれのチャネルを含むマルチキャストストリームを配信するべきかを示す。
【００４６】
障害情報認知部１６−１は、集線装置１−２に障害が発生したことを認知し、集線部１１−１に集線装置１−２の障害情報を通知する。集線部１１−１は、集線部１１−２に代わり、アクセス装置３−Ｍ、・・・、３−Ｎと通信を開始することができる。
【００４７】
障害情報認知部１６−１が、集線装置１−２に障害が発生したことを認知する方法として、以下の方法などがあげられる。第１の方法では、障害情報認知部１６−１は、集線装置１−２のインターフェースの信号を監視し、一定時間以上正常な信号を受信できなかったことを認知することにより、集線装置１−２に障害が発生したことを認知する。第２の方法では、集線装置１−１、１−２は、バックプレーンを介して接続され、相互間で定期的にリンク情報を交換し、障害情報認知部１６−１は、集線装置１−２からのリンク情報を監視することにより、集線装置１−２に障害が発生したことを認知する。
【００４８】
次に、図３を用いて、集線装置１−２に障害が発生する前の処理について説明する。以下では、集線装置１−１の構成要素の処理内容について主に説明するが、集線装置１−１の構成要素の処理内容と集線装置１−２の構成要素の処理内容は同様である。
【００４９】
マルチキャスト問合メッセージ発出部１３−１は、集線部１１−１にマルチキャスト問合メッセージを発出し、集線部１１−１は、アクセス装置３−１、・・・、３−Ｌにマルチキャスト問合メッセージを送信する。マルチキャスト問合メッセージ発出部１３−２は、集線部１１−２にマルチキャスト問合メッセージを発出し、集線部１１−２は、アクセス装置３−Ｍ、・・・、３−Ｎにマルチキャスト問合メッセージを送信する。集線部１１−１は、アクセス装置３−１、・・・、３−Ｌからマルチキャスト報告メッセージを受信するとともに、アクセス装置３−Ｍ、・・・、３−Ｎからマルチキャスト報告メッセージを受信し、マルチキャスト報告メッセージ取得部１４−１は、集線部１１−１からこれらのマルチキャスト報告メッセージを取得する。配信テーブル作成部１５−１は、これらのマルチキャスト報告メッセージに基づいて、配信テーブルを作成する。
【００５０】
集線部１１−１は、情報ソース２から全チャネルを含むマルチキャストストリームを受信し、配信テーブルに基づいて、アクセス装置３−１、・・・、３−Ｌに要求チャネルを含むマルチキャストストリームを配信する。フィルタ部１２−１１、・・・、１２−１Ｌは、それぞれアクセス装置３−１、・・・、３−Ｌの要求チャネルを含むマルチキャストストリームを通過させる。
【００５１】
次に、図４を用いて、集線装置１−２に障害が発生した後の処理について説明する。以下では、集線装置１−２に障害が発生した後の処理について説明するが、集線装置１−１に障害が発生した後の処理と集線装置１−２に障害が発生した後の処理は同様である。
【００５２】
障害情報認知部１６−１は、集線装置１−２に障害が発生したことを認知し、集線部１１−１に集線装置１−２の障害情報を通知する。集線部１１−１は、情報ソース２から全チャネルを含むマルチキャストストリームを受信し、配信テーブルに基づいて、アクセス装置３−１、・・・、３−Ｌに要求チャネルを含むマルチキャストストリームを配信するとともに、アクセス装置３−Ｍ、・・・、３−Ｎに要求チャネルを含むマルチキャストストリームを配信する。フィルタ部１２−１１、・・・、１２−１Ｌ、１２−１Ｍ、・・・、１２−１Ｎは、それぞれアクセス装置３−１、・・・、３−Ｌ、３−Ｍ、・・・、３−Ｎの要求チャネルを含むマルチキャストストリームを通過させる。
【００５３】
マルチキャスト問合メッセージ発出部１３−１は、集線部１１−１にマルチキャスト問合メッセージを発出し、集線部１１−１は、アクセス装置３−１、・・・、３−Ｌ、３−Ｍ、・・・、３−Ｎにマルチキャスト問合メッセージを送信する。集線部１１−１は、アクセス装置３−１、・・・、３−Ｌ、３−Ｍ、・・・、３−Ｎからマルチキャスト報告メッセージを受信し、マルチキャスト報告メッセージ取得部１４−１は、集線部１１−１からこれらのマルチキャスト報告メッセージを取得する。配信テーブル作成部１５−１は、これらのマルチキャスト報告メッセージに基づいて、配信テーブルを更新する。
【００５４】
以上に説明したように、アクセス装置は、通常時には一の集線装置から配信情報を受信するが、一の集線装置の障害時には他の集線装置から配信情報を受信する。ここで、アクセス装置は、配信情報へのアクセスを要求する旨のアクセス情報を、一の集線装置及び他の集線装置に送信する。よって、一の集線装置が障害を発生させたときであっても、他の集線装置がアクセス装置に配信情報を早急に配信することができる。
【００５５】
実施形態１において、集線部１１−１は、アクセス装置３−１、・・・、３−Ｌのみにマルチキャスト問合メッセージを送信しており、集線部１１−２は、アクセス装置３−Ｍ、・・・、３−Ｎのみにマルチキャスト問合メッセージを送信していた。しかし、実施形態１の変形例において、集線部１１−１は、アクセス装置３−１、・・・、３−Ｌ、３−Ｍ、・・・、３−Ｎすべてにマルチキャスト問合メッセージを送信してもよく、集線部１１−２は、アクセス装置３−１、・・・、３−Ｌ、３−Ｍ、・・・、３−Ｎすべてにマルチキャスト問合メッセージを送信してもよい。もっとも、実施形態１においては、マルチキャスト問合メッセージの送信負担を軽減することができる。
【００５６】
（実施形態２）
図５は、ＰＯＮ（Ｐａｓｓｉｖｅ  Ｏｐｔｉｃａｌ  Ｎｅｔｗｏｒｋ）の構成を示す図である。ＰＯＮは、Ｐ２ＭＰ（Ｐｏｉｎｔ  Ｔｏ  Ｍｕｌｔｉ  Ｐｏｉｎｔ）のネットワークであり、Ｌ２ＳＷ（Ｌａｙｅｒ  ２  Ｓｗｉｔｃｈ）４、ＯＳＵ（Ｏｐｔｉｃａｌ  Ｓｕｂｓｃｒｉｂｅｒ  Ｕｎｉｔ）５−１、・・・、５−ｍ、ＯＮＵ（Ｏｐｔｉｃａｌ  Ｎｅｔｗｏｒｋ  Ｕｎｉｔ）６−１１、・・・、６−１ｎ、・・・、６−ｍ１、・・・、６−ｍｎ、光パワースプリッタ７−１、・・・、７−ｍから構成されている。
【００５７】
実施形態２は、集線装置とアクセス装置をそれぞれＬ２ＳＷとＯＳＵとして、実施形態１に記載の発明を適用したものである。図６は、実施形態２におけるＬ２ＳＷとＯＳＵの関係を示す図である。上流側から下流側へと向かうにつれて、Ｌ２ＳＷ４−１、４−２、ＯＳＵ５−１、・・・、５−８、５−９、・・・、５−１６が配置されている。
【００５８】
ＯＳＵ５−１、・・・、５−８は、Ｌ２ＳＷ４−１を主系とし、Ｌ２ＳＷ４−２を副系とする。ＯＳＵ５−９、・・・、５−１６は、Ｌ２ＳＷ４−２を主系とし、Ｌ２ＳＷ４−１を副系とする。ＯＳＵ５は、主系のＬ２ＳＷ４が障害を発生させていないときには、主系のＬ２ＳＷ４からマルチキャストストリームを受信するが、主系のＬ２ＳＷ４が障害を発生させているときには、副系のＬ２ＳＷ４からマルチキャストストリームを受信する。
【００５９】
Ｌ２ＳＷ４の各構成要素の処理内容は、集線装置１の各構成要素の処理内容と同様である。ＯＳＵ５は、通常時には一のＬ２ＳＷ４から配信情報を受信するが、一のＬ２ＳＷ４の障害時には他のＬ２ＳＷ４から配信情報を受信する。ここで、ＯＳＵ５は、配信情報へのアクセスを要求する旨のアクセス情報を、一のＬ２ＳＷ４及び他のＬ２ＳＷ４に送信する。よって、一のＬ２ＳＷ４が障害を発生させたときであっても、他のＬ２ＳＷ４がＯＳＵ５に配信情報を早急に配信することができる。
【００６０】
（実施形態３）
実施形態３は、集線装置とアクセス装置をそれぞれＯＳＵとＯＮＵとして、実施形態１に記載の発明を適用したものである。図７は、実施形態３におけるＯＳＵとＯＮＵの関係を示す図である。上流側から下流側へと向かうにつれて、ＯＳＵ５−１、５−２、切替装置８、光パワースプリッタ７−１、７−２、ＯＮＵ６−１、・・・、６−３２、６−３３、・・・、６−６４が配置されている。ＯＮＵ６−１、・・・、６−３２は、光パワースプリッタ７−１に接続されており、ＯＮＵ６−３３、・・・、６−６４は、光パワースプリッタ７−２に接続されている。
【００６１】
ＯＮＵ６−１、・・・、６−３２は、ＯＳＵ５−１を主系とし、ＯＳＵ５−２を副系とする。ＯＮＵ６−３３、・・・、６−６４は、ＯＳＵ５−２を主系とし、ＯＳＵ５−１を副系とする。ＯＮＵ６は、主系のＯＳＵ５が障害を発生させていないときには、主系のＯＳＵ５からマルチキャストストリームを受信するが、主系のＯＳＵ５が障害を発生させているときには、副系のＯＳＵ５からマルチキャストストリームを受信する。
【００６２】
切替装置８は、特許文献１に開示されたものであり、主系から副系への切替または副系から主系への切替を実行する。図８は、実施形態３における切替装置を示す図である。切替装置８は、光送受信部８１−１、８１−２、上り信号用２×２電気回路８２、下り信号用２×２電気回路８３から構成されている。
【００６３】
光送受信部８１−１は、光パワースプリッタ７−１に接続されており、上り信号を上り信号用２×２電気回路８２に出力し、下り信号を下り信号用２×２電気回路８３から入力する。光送受信部８１−２は、光パワースプリッタ７−２に接続されており、上り信号を上り信号用２×２電気回路８２に出力し、下り信号を下り信号用２×２電気回路８３から入力する。
【００６４】
上り信号用２×２電気回路８２は、分岐手段と選択手段から構成されている。分岐手段と選択手段は、集線部５１−１、５１−２による切替指令に従い、光パワースプリッタ７−１、７−２からの上り信号をＯＳＵ５−１、５−２のうちいずれかに向けて出力する。
【００６５】
下り信号用２×２電気回路８３は、分岐手段と選択手段とフィルタ手段から構成されている。分岐手段と選択手段は、集線部５１−１、５１−２による切替指令に従い、ＯＳＵ５−１、５−２からの下り信号を光パワースプリッタ７−１、７−２のうちいずれかに向けて出力する。フィルタ手段は、集線部５１−１、５１−２による切替指令と配信テーブル作成部５４−１、５４−２により作成された配信テーブルに基づいて、全チャネルを含むマルチキャストストリームのうち、要求チャネルを含むマルチキャストストリームを通過させる。
【００６６】
ＯＳＵ５の各構成要素の処理内容は、集線装置１の各構成要素の処理内容とほぼ同様である。ＯＮＵ６は、通常時には一のＯＳＵ５から配信情報を受信するが、一のＯＳＵ５の障害時には他のＯＳＵ５から配信情報を受信する。ここで、ＯＮＵ６は、配信情報へのアクセスを要求する旨のアクセス情報を、一のＯＳＵ５及び他のＯＳＵ５に送信する。よって、一のＯＳＵ５が障害を発生させたときであっても、他のＯＳＵ５がＯＮＵ６に配信情報を早急に配信することができる。
【００６７】
本発明に係る集線システム、集線装置及び配信方法は、階層構造を有するネットワークに利用することができる。階層構造のうち任意の階層において、上位装置を集線装置１として、下位装置をアクセス装置３として、本発明を実施することができる。
【産業上の利用可能性】
【００６８】
本発明に係る集線システム、集線装置及び配信方法は、光通信システムや無線通信システムなど、通信媒体が限定されない通信システムに利用することができる。
【符号の説明】
【００６９】
１：集線装置
２：情報ソース
３：アクセス装置
４：Ｌ２ＳＷ
５：ＯＳＵ
６：ＯＮＵ
７：光パワースプリッタ
８：切替装置
１１、４１、５１：集線部
１２、４２：フィルタ部
１３、４３、５２：マルチキャスト問合メッセージ発出部
１４、４４、５３：マルチキャスト報告メッセージ取得部
１５、４５、５４：配信テーブル作成部
１６、４６、５５：障害情報認知部
８１：光送受信部
８２：上り信号用２×２電気回路
８３：下り信号用２×２電気回路
【図１】
0005456585.tif 000002
【図２】
0005456585.tif 000003
【図３】
0005456585.tif 000004
【図４】
0005456585.tif 000005
【図５】
0005456585.tif 000006
【図６】
0005456585.tif 000007
【図７】
0005456585.tif 000008
【図８】
0005456585.tif 000009